(57)【要約】【課題】広告映像と番組映像が一体となっている映像に対して、番組映像を見ている状況で、広告映像に対する他者の評価の閲覧を可能にする。【解決手段】本発明は広告映像と番組映像とが一体となっている映像から広告映像部分を検出し、映像管理記憶手段に格納し、検出された広告映像部分から広告映像特徴量を抽出し、映像管理記憶手段に格納されている映像の中から選択されて再生された映像中に含まれる広告映像の再生を検出し、広告映像再生時に対応する広告映像特徴量と関連付けて広告映像再生情報を再生履歴記憶手段に蓄積し、再生履歴記憶手段に蓄積された広告映像再生情報から広告映像特徴量毎に広告映像の累積再生回数を集計し、映像再生時に、再生中の映像に含まれる広告映像の累積再生回数を表示手段に表示する。【選択図】図１
2009130529.tif 000002
【特許請求の範囲】
【請求項１】
広告映像と番組映像とが一体となっている映像に対する広告映像再生を行う広告映像再生方法であって、
映像識別情報取得手段が、広告映像と番組映像とが一体となっている映像から広告映像部分を検出し、映像管理記憶手段に格納する広告映像検出手順と、
広告映像特徴量抽出手段が、前記広告映像検出手順で検出された前記広告映像部分から広告映像特徴量を抽出し、前記映像管理記憶手段に格納する広告映像特徴量抽出手順と、
広告映像再生検出手段が、前記映像管理記憶手段で管理されている映像の中から選択されて再生された映像中に含まれる広告映像の再生を検出する広告映像再生検出手順と、
再生情報蓄積手段が、前記広告映像再生検出手順の広告映像再生時に対応する広告映像特徴量と関連付けて広告映像再生情報を再生履歴記憶手段に蓄積する再生情報蓄積手順と、
再生情報分析手段が、前記再生履歴記憶手段に蓄積された前記広告映像再生情報から前記広告映像特徴量毎に広告映像の累積再生回数を集計する再生情報分析手順と、
広告映像再生情報提示手段が、映像再生時に、再生中の映像に含まれる広告映像の累積再生回数を表示手段に表示する広告映像再生情報提示手順と、
を行うことを特徴とする広告映像再生方法。
【請求項２】
広告映像と番組映像とが一体となっている映像に対する広告映像再生を行う広告映像再生方法であって、
映像識別情報取得手段が、広告映像と番組映像とが一体となっている映像から広告映像部分を検出し、映像管理記憶手段に格納する広告映像検出手順と、
広告映像特徴量抽出手段が、前記広告映像検出手順で検出された前記広告映像部分から広告映像特徴量を抽出し、前記映像管理記憶手段に格納する広告映像特徴量抽出手順と、
映像識別情報取得手段が、映像と関連付けて保持されている情報から映像識別情報を取得して前記映像管理記憶手段に格納する映像識別情報取得手順と、
再生映像検出手段が、映像再生開始時に、再生映像を検出する再生映像検出手順と、
第１の再生情報蓄積手段が、前記再生映像の映像識別情報を含む再生映像情報を再生履歴記憶手段に蓄積する第１の再生情報蓄積手順と、
広告映像再生検出手段が、前記映像管理記憶手段で管理されている映像の中から選択されて再生された映像中に含まれる広告映像の再生を検出する広告映像再生検出手順と、
第２の再生情報蓄積手段が、前記広告映像再生検出手順の広告映像再生時に対応する広告映像特徴量と関連付けて広告映像再生情報を前記再生履歴記憶手段に蓄積する第２の再生情報蓄積手順と、
再生情報分析手段が、前記再生履歴記憶手段に蓄積された前記再生映像情報から前記映像識別情報毎に映像の累積再生回数を集計し、該再生履歴記憶手段に蓄積された前記広告映像再生情報から映像識別情報毎の広告映像の累積再生回数を集計し、該映像の累積再生回数と該広告映像の累積再生回数に基づいて、１映像再生当たりの広告映像再生回数を計算する再生情報分析手順と、
広告映像再生情報提示手段が、映像再生時に、再生中の映像に含まれる広告映像の１映像再生当たりの広告映像再生回数を表示手段に表示する広告映像再生情報提示手順と、
を行うことを特徴とする広告映像再生方法。
【請求項３】
広告映像と番組映像とが一体となっている映像に対する広告映像再生を行う広告映像再生方法であって、
映像識別情報取得手段が、広告映像と番組映像とが一体となっている映像から広告映像部分を検出し、映像管理記憶手段に格納する広告映像検出手順と、
広告映像特徴量抽出手段が、前記広告映像検出手順で検出された前記広告映像部分から広告映像特徴量を抽出し、前記映像管理記憶手段に格納する広告映像特徴量抽出手順と、
映像識別情報取得手段が、映像と関連付けて保持されている情報から映像識別情報を取得して前記映像管理記憶手段に格納する映像識別情報取得手順と、
再生映像検出手段が、映像再生開始時に、再生映像を検出する再生映像検出手順と、
第１の再生情報蓄積手段が、前記再生映像の映像識別情報を含む再生映像情報を再生履歴記憶手段に蓄積する第１の再生情報蓄積手順と、
広告映像再生検出手段が、前記映像管理記憶手段で管理されている映像の中から選択されて再生された映像中に含まれる広告映像の再生を検出する広告映像再生検出手順と、
広告映像評価コメント情報付与手段が、再生中の前記広告映像に対して、再生中の広告映像に関する評価分類を選択することで得られる評価情報、または、コメントを取得する広告映像評価コメント情報付与手順と、
広告映像評価コメント情報蓄積手段が、前記評価情報を前記広告特徴量と関連付けて評価記憶手段に蓄積する、または、前記コメントを該広告特徴量と関連付けてコメント記憶手段に蓄積する広告映像評価コメント情報蓄積手順と、
広告映像評価コメント情報分析手段が、前記評価記憶手段または前記コメント記憶手段に格納されている前記評価情報または前記コメントから前記広告映像特徴量毎に広告映像に対する評価分類と累積評価数の組である評価結果情報、または、累積コメント数を集計する広告映像評価コメント情報分析手順と、
広告映像分析結果提示手段が、映像再生時に再生中の映像に含まれる広告映像に対する前記評価結果情報、または、前記累積コメント数を表示手段に表示する広告映像分析結果提示手順と、
を行うことを特徴とする広告映像再生方法。
【請求項４】
広告映像と番組映像とが一体となっている映像に対する広告映像再生を行う広告映像再生方法であって、
映像識別情報取得手段が、広告映像と番組映像とが一体となっている映像から広告映像部分を検出し、映像管理記憶手段に格納する広告映像検出手順と、
広告映像特徴量抽出手段が、前記広告映像検出手順で検出された前記広告映像部分から広告映像特徴量を抽出し、前記映像管理記憶手段に格納する広告映像特徴量抽出手順と、
映像識別情報取得手段が、映像と関連付けて保持されている情報から映像識別情報を取得して前記映像管理記憶手段に格納する映像識別情報取得手順と、
再生映像検出手段が、映像再生開始時に、再生映像を検出する再生映像検出手順と、
再生情報蓄積手段が、前記再生映像の映像識別情報を含む再生映像情報を再生履歴記憶手段に蓄積する再生情報蓄積手順と、
広告映像再生検出手段が、前記映像管理記憶手段で管理されている映像の中から選択されて再生された映像中に含まれる広告映像の再生を検出する広告映像再生検出手順と、
広告映像評価コメント情報付与手段が、再生中の前記広告映像に関するコメントを取得する広告映像評価コメント情報付与手順と、
広告映像評価コメント情報蓄積手段が、前記コメントを該広告特徴量と関連付けてコメント記憶手段に蓄積する広告映像評価コメント情報蓄積手順と、
広告映像コメント提示手段が、映像再生時に、再生中の広告映像の前記広告映像特徴量から該当する全ての広告映像に対するコメントを表示手段に表示する広告映像コメント提示手順と、
を行うことを特徴とする広告映像再生方法。
【請求項５】
広告映像と番組映像とが一体となっている映像に対する広告映像再生を行う広告映像再生装置であって、
広告映像と番組映像とが一体となっている映像から広告映像部分を検出し、映像管理記憶手段に格納する広告映像検出手段と、
前記広告映像検出手段で検出された前記広告映像部分から広告映像特徴量を抽出し、前記映像管理記憶手段に格納する広告映像特徴量抽出手段と、
前記映像管理記憶手段で管理されている映像の中から選択されて再生された映像中に含まれる広告映像の再生を検出する広告映像再生検出手段と、
前記広告映像再生検出手段の広告映像再生時に対応する広告映像特徴量と関連付けて広告映像再生情報を再生履歴記憶手段に蓄積する再生情報蓄積手段と、
前記再生履歴記憶手段に蓄積された前記広告映像再生情報から前記広告映像特徴量毎に広告映像の累積再生回数を集計する再生情報分析手段と、
映像再生時に、再生中の映像に含まれる広告映像の累積再生回数を表示手段に表示する広告映像再生情報提示手段と、
を有することを特徴とする広告映像再生装置。
【請求項６】
広告映像と番組映像とが一体となっている映像に対する広告映像再生を行う広告映像再生装置であって、
広告映像と番組映像とが一体となっている映像から広告映像部分を検出し、映像管理記憶手段に格納する広告映像検出手段と、
前記広告映像検出手段で検出された前記広告映像部分から広告映像特徴量を抽出し、前記映像管理記憶手段に格納する広告映像特徴量抽出手段と、
映像と関連付けて保持されている情報から映像識別情報を取得して前記映像管理記憶手段に格納する映像識別情報取得手段と、
映像再生開始時に、再生映像を検出する再生映像検出手段と、
前記再生映像の映像識別情報を含む再生映像情報を再生履歴記憶手段に蓄積する第１の再生情報蓄積手段と、
前記映像管理記憶手段で管理されている映像の中から選択されて再生された映像中に含まれる広告映像の再生を検出する広告映像再生検出手段と、
前記広告映像再生検出手段の広告映像再生時に対応する広告映像特徴量と関連付けて広告映像再生情報を前記再生履歴記憶手段に蓄積する第２の再生情報蓄積手段と、
前記再生履歴記憶手段に蓄積された前記再生映像情報から前記映像識別情報毎に映像の累積再生回数を集計し、該再生履歴記憶手段に蓄積された前記広告映像再生情報から映像識別情報毎の広告映像の累積再生回数を集計し、該映像の累積再生回数と該広告映像の累積再生回数に基づいて、１映像再生当たりの広告映像再生回数を計算する再生情報分析手段と、
映像再生時に、再生中の映像に含まれる広告映像の１映像再生当たりの広告映像再生回数を表示手段に表示する広告映像再生情報提示手段と、
を有することを特徴とする広告映像再生装置。
【請求項７】
広告映像と番組映像とが一体となっている映像に対する広告映像再生を行う広告映像再生装置であって、
広告映像と番組映像とが一体となっている映像から広告映像部分を検出し、映像管理記憶手段に格納する広告映像検出手段と、
前記広告映像検出手段で検出された前記広告映像部分から広告映像特徴量を抽出し、前記映像管理記憶手段に格納する広告映像特徴量抽出手段と、
映像と関連付けて保持されている情報から映像識別情報を取得して前記映像管理記憶手段に格納する映像識別情報取得手段と、
映像再生開始時に、再生映像を検出する再生映像検出手段と、
前記再生映像の映像識別情報を含む再生映像情報を再生履歴記憶手段に蓄積する第１の再生情報蓄積手段と、
前記映像管理記憶手段で管理されている映像の中から選択されて再生された映像中に含まれる広告映像の再生を検出する広告映像再生検出手段と、
再生中の前記広告映像に対して、再生中の広告映像に関する評価分類を選択することで得られる評価情報、または、コメントを取得する広告映像評価コメント情報付与手段と、
前記評価情報を前記広告特徴量と関連付けて評価記憶手段に蓄積する、または、前記コメントを該広告特徴量と関連付けてコメント記憶手段に蓄積する広告映像評価コメント情報蓄積手段と、
前記評価記憶手段または前記コメント記憶手段に格納されている前記評価情報または前記コメントから前記広告映像特徴量毎に広告映像に対する評価分類と累積評価数の組である評価結果情報、または、累積コメント数を集計する広告映像評価コメント情報分析手段と、
映像再生時に再生中の映像に含まれる広告映像に対する前記評価結果情報、または、前記累積コメント数を表示手段に表示する広告映像分析結果提示手段と、
を有することを特徴とする広告映像再生装置。
【請求項８】
広告映像と番組映像とが一体となっている映像に対する広告映像再生を行う広告映像再生装置であって、
広告映像と番組映像とが一体となっている映像から広告映像部分を検出し、映像管理記憶手段に格納する広告映像検出手段と、
前記広告映像検出手段で検出された前記広告映像部分から広告映像特徴量を抽出し、前記映像管理記憶手段に格納する広告映像特徴量抽出手段と、
映像と関連付けて保持されている情報から映像識別情報を取得して前記映像管理記憶手段に格納する映像識別情報取得手段と、
映像再生開始時に、再生映像を検出する再生映像検出手段と、
前記再生映像の映像識別情報を含む再生映像情報を再生履歴記憶手段に蓄積する再生情報蓄積手段と、
前記映像管理記憶手段で管理されている映像の中から選択されて再生された映像中に含まれる広告映像の再生を検出する広告映像再生検出手段と、
再生中の前記広告映像に関するコメントを取得する広告映像評価コメント情報付与手段と、
前記コメントを該広告特徴量と関連付けてコメント記憶手段に蓄積する広告映像評価コメント情報蓄積手段と、
映像再生時に、再生中の広告映像の前記広告映像特徴量から該当する全ての広告映像に対するコメントを表示手段に表示する広告映像コメント提示手段と、
を有することを特徴とする広告映像再生装置。
【請求項９】
請求項５乃至８のいずれか１項に記載の広告映像再生を構成する各手段としてコンピュータを機能させる広告映像再生プログラム。
【発明の詳細な説明】
【技術分野】
【０００１】
本発明は、広告映像再生方法及び装置及びプログラムに係り、特に、広告映像と番組映像が一体となっている映像に対しての広告映像再生方法及び装置及びプログラムに関する。
詳しくは、映像中の広告映像を検出し、複数の同一広告映像の累積再生回数、同一広告映像に関する全てのコメント数、コメント、評価情報を提示するための広告映像再生方法及び装置及びプログラムに関する。
【背景技術】
【０００２】
従来の放送映像はリアルタイムに再生する放送映像の視聴率で広告映像の効果を把握してきた。一方、近年は、広告映像を独立に広告映像を配信するような形態も検討されている（例えば、特許文献１参照）。
【特許文献１】特開２００５−２０８７５１号公報「映像広告情報自動通知サービス方法」
【発明の開示】
【発明が解決しようとする課題】
【０００３】
しかしながら、放送映像の場合では、今日の録画などによる放送映像の視聴形態を考慮すると、そのような大量の視聴者の再生回数が正確に反映されない指標であり、また映像中の広告映像単体では映像中の番組映像と違い、そもそも視聴の意思がないことが多い広告映像を再生しない限り、コンテンツの内容的魅力がわからず、広告映像再生の負荷も高いため、スキップされて再生されないケースが考えられる。
【０００４】
一方、独立に広告映像を配信するケースでは、ユーザが興味を持った広告のみを見られるメリットもあるが、広告映像自体を配信する準備が必要で、またユーザが視聴を取捨選択すると広告映像自体の再生回数は放送映像のケースと比較しても大幅に少ない数になることが考えられ、本来の広告映像のように潜在的な広告映像に興味を持つユーザを開拓する可能性が大幅に減ってしまうという課題がある。整理すると、
１．録画などによるタイムシフトでの視聴が視聴率等の視聴把握の指標に正確に反映されない；
２．広告映像のみ独立して興味ユーザにのみ示す方法では、別途配信用の広告映像を準備する必要があり、また、興味対象を明示できない潜在的なユーザに広告映像を視聴してもらえない；
３．録画などによるタイムシフトでの視聴において広告映像単体のみでは、広告映像を閲覧しない状態ではコンテンツの内容的魅力が分からず、広告映像再生の負荷も高いため、スキップされるケースが多い；
といった課題が多い。
【０００５】
本発明は、上記の課題を解決するためのものであり、上記の１．の課題に対しては、タイムシフト視聴でのユーザにおいても放送映像のような番組映像と広告映像が一体となっている映像に対して、広告映像部分を検出し、各広告映像を特徴量により識別し、各広告映像に関する視聴状況を把握することを可能にし、また、上記２．３．の課題に対しては、複数の映像に含まれる共通の広告映像の再生回数、広告映像に対する視聴者のコメントを統合して各映像に含まれる広告映像に統合したコメントにて提示するといった方法により、コンテンツに関する魅力を視聴者コメントや統合的な再生状況によりコンテンツの魅力の向上及びその効果をフィードバックし、広告映像再生のスキップを減じることを可能にする広告映像再生方法及び装置及びプログラムを提供することを目的とする。
【課題を解決するための手段】
【０００６】
図１は、本発明の原理を説明するための図である。
【０００７】
本発明（請求項１）は、広告映像と番組映像とが一体となっている映像に対する広告映像再生を行う広告映像再生方法であって、
映像識別情報取得手段が、広告映像と番組映像とが一体となっている映像から広告映像部分を検出し、映像管理記憶手段に格納する広告映像検出手順（ステップ１）と、
広告映像特徴量抽出手段が、広告映像検出手順で検出された広告映像部分から広告映像特徴量を抽出し、映像管理記憶手段に格納する広告映像特徴量抽出手順（ステップ２）と、
広告映像再生検出手段が、映像管理記憶手段で管理されている映像の中から選択されて再生された映像中に含まれる広告映像の再生を検出する広告映像再生検出手順（ステップ３）と、
再生情報蓄積手段が、広告映像再生検出手順の広告映像再生時に対応する広告映像特徴量と関連付けて広告映像再生情報を再生履歴記憶手段に蓄積する再生情報蓄積手順（ステップ４）と、
再生情報分析手段が、再生履歴記憶手段に蓄積された広告映像再生情報から広告映像特徴量毎に広告映像の累積再生回数を集計する再生情報分析手順（ステップ５）と、
広告映像再生情報提示手段が、映像再生時に、再生中の映像に含まれる広告映像の累積再生回数を表示手段に表示する広告映像再生情報提示手順（ステップ６）と、を行う。
【０００８】
請求項１に係る発明によれば、録画映像などのタイムシフト視聴においても広告映像の再生回数といった再生状況を把握することが可能となる。
【０００９】
本発明（請求項２）は、広告映像と番組映像とが一体となっている映像に対する広告映像再生を行う広告映像再生方法であって、
映像識別情報取得手段が、広告映像と番組映像とが一体となっている映像から広告映像部分を検出し、映像管理記憶手段に格納する広告映像検出手順と、
広告映像特徴量抽出手段が、広告映像検出手順で検出された広告映像部分から広告映像特徴量を抽出し、映像管理記憶手段に格納する広告映像特徴量抽出手順と、
映像識別情報取得手段が、映像と関連付けて保持されている情報から映像識別情報を取得して映像管理記憶手段に格納する映像識別情報取得手順と、
再生映像検出手段が、映像再生開始時に、再生映像を検出する再生映像検出手順と、
第１の再生情報蓄積手段が、再生映像の映像識別情報を含む再生映像情報を再生履歴記憶手段に蓄積する第１の再生情報蓄積手順と、
広告映像再生検出手段が、映像管理記憶手段で管理されている映像の中から選択されて再生された映像中に含まれる広告映像の再生を検出する広告映像再生検出手順と、
第２の再生情報蓄積手段が、広告映像再生検出手順の広告映像再生時に対応する広告映像特徴量と関連付けて広告映像再生情報を再生履歴記憶手段に蓄積する第２の再生情報蓄積手順と、
再生情報分析手段が、再生履歴記憶手段に蓄積された再生映像情報から映像識別情報毎に映像の累積再生回数を集計し、該再生履歴記憶手段に蓄積された広告映像再生情報から映像識別情報毎の広告映像の累積再生回数を集計し、該映像の累積再生回数と該広告映像の累積再生回数に基づいて、１映像再生当たりの広告映像再生回数を計算する再生情報分析手順と、
広告映像再生情報提示手段が、映像再生時に、再生中の映像に含まれる広告映像の１映像再生当たりの広告映像再生回数を表示手段に表示する広告映像再生情報提示手順と、を行う。
【００１０】
請求項２に係る発明によれば、各映像再生においての広告映像再生率の差異が把握できるため、番組映像の再生と比較して正確な広告映像再生状況の把握が可能となる。
【００１１】
本発明（請求項３）は、広告映像と番組映像とが一体となっている映像に対する広告映像再生を行う広告映像再生方法であって、
映像識別情報取得手段が、広告映像と番組映像とが一体となっている映像から広告映像部分を検出し、映像管理記憶手段に格納する広告映像検出手順と、
広告映像特徴量抽出手段が、広告映像検出手順で検出された広告映像部分から広告映像特徴量を抽出し、映像管理記憶手段に格納する広告映像特徴量抽出手順と、
映像識別情報取得手段が、映像と関連付けて保持されている情報から映像識別情報を取得して映像管理記憶手段に格納する映像識別情報取得手順と、
再生映像検出手段が、映像再生開始時に、再生映像を検出する再生映像検出手順と、
第１の再生情報蓄積手段が、再生映像の映像識別情報を含む再生映像情報を再生履歴記憶手段に蓄積する第１の再生情報蓄積手順と、
広告映像再生検出手段が、映像管理記憶手段で管理されている映像の中から選択されて再生された映像中に含まれる広告映像の再生を検出する広告映像再生検出手順と、
広告映像評価コメント情報付与手段が、再生中の広告映像に対して、再生中の広告映像に関する評価分類を選択することで得られる評価情報、または、コメントを取得する広告映像評価コメント情報付与手順と、
広告映像評価コメント情報蓄積手段が、評価情報を広告特徴量と関連付けて評価記憶手段に蓄積する、または、コメントを該広告特徴量と関連付けてコメント記憶手段に蓄積する広告映像評価コメント情報蓄積手順と、
広告映像評価コメント情報分析手段が、評価記憶手段またはコメント記憶手段に格納されている評価情報またはコメントから広告映像特徴量毎に広告映像に対する評価分類と累積評価数の組である評価結果情報、または、累積コメント数を集計する広告映像評価コメント情報分析手順と、
広告映像分析結果提示手段が、映像再生時に再生中の映像に含まれる広告映像に対する評価結果情報、または、累積コメント数を表示手段に表示する広告映像分析結果提示手順と、を行う。
【００１２】
請求項３に係る発明によれば、広告映像に関しての視聴者の評価、意見数がわかり、広告映像自体の魅力が把握でき、広告映像の再生を促すための情報となり、広告映像を再生する機会の向上に寄与することが可能となる。
【００１３】
本発明（請求項４）は、広告映像と番組映像とが一体となっている映像に対する広告映像再生を行う広告映像再生方法であって、
映像識別情報取得手段が、広告映像と番組映像とが一体となっている映像から広告映像部分を検出し、映像管理記憶手段に格納する広告映像検出手順と、
広告映像特徴量抽出手段が、広告映像検出手順で検出された広告映像部分から広告映像特徴量を抽出し、映像管理記憶手段に格納する広告映像特徴量抽出手順と、
映像識別情報取得手段が、映像と関連付けて保持されている情報から映像識別情報を取得して映像管理記憶手段に格納する映像識別情報取得手順と、
再生映像検出手段が、映像再生開始時に、再生映像を検出する再生映像検出手順と、
再生情報蓄積手段が、再生映像の映像識別情報を含む再生映像情報を再生履歴記憶手段に蓄積する再生情報蓄積手順と、
広告映像再生検出手段が、映像管理記憶手段で管理されている映像の中から選択されて再生された映像中に含まれる広告映像の再生を検出する広告映像再生検出手順と、
広告映像評価コメント情報付与手段が、再生中の広告映像に関するコメントを取得する広告映像評価コメント情報付与手順と、
広告映像評価コメント情報蓄積手段が、コメントを該広告特徴量と関連付けてコメント記憶手段に蓄積する広告映像評価コメント情報蓄積手順と、
広告映像コメント提示手段が、映像再生時に、再生中の広告映像の広告映像特徴量から該当する全ての広告映像に対するコメントを表示手段に表示する広告映像コメント提示手順と、を行う。
【００１４】
請求項４に係る発明によれば、複数の映像に含まれる同一の広告映像に関するコメントを統合し、各映像再生時に統合した広告映像に関するコメントを提示することができるため、広告映像に対するコメント意見が視聴者に閲覧されやすくなり、広告映像の閲覧の増加に寄与することが可能となる。
【００１５】
図２は、本発明の原理構成図である。
【００１６】
本発明（請求項５）は、広告映像と番組映像とが一体となっている映像に対する広告映像再生を行う広告映像再生装置であって、
広告映像と番組映像とが一体となっている映像から広告映像部分を検出し、映像管理記憶手段に格納する広告映像検出手段１２０と、
広告映像検出手段１２０で検出された広告映像部分から広告映像特徴量を抽出し、映像管理記憶手段１３０に格納する広告映像特徴量抽出手段１４０と、
映像管理記憶手段１３０で管理されている映像の中から選択されて再生された映像中に含まれる広告映像の再生を検出する広告映像再生検出手段１６０と、
広告映像再生検出手段１６０の広告映像再生時に対応する広告映像特徴量と関連付けて広告映像再生情報を再生履歴記憶手段２２０に蓄積する再生情報蓄積手段２１０と、
再生履歴記憶手段２２０に蓄積された広告映像再生情報から広告映像特徴量毎に広告映像の累積再生回数を集計する再生情報分析手段２３０と、
映像再生時に、再生中の映像に含まれる広告映像の累積再生回数を表示手段に表示する広告映像再生情報提示手段２４０と、を有する。
【００１７】
請求項５に係る発明によれば、録画映像などのタイムシフト視聴においても広告映像の再生回数といった再生状況を把握することが可能となる。
【００１８】
本発明（請求項６）は、広告映像と番組映像とが一体となっている映像に対する広告映像再生を行う広告映像再生装置であって、
広告映像と番組映像とが一体となっている映像から広告映像部分を検出し、映像管理記憶手段に格納する広告映像検出手段と、
広告映像検出手段で検出された広告映像部分から広告映像特徴量を抽出し、映像管理記憶手段に格納する広告映像特徴量抽出手段と、
映像と関連付けて保持されている情報から映像識別情報を取得して映像管理記憶手段に格納する映像識別情報取得手段と、
映像再生開始時に、再生映像を検出する再生映像検出手段と、
再生映像の映像識別情報を含む再生映像情報を再生履歴記憶手段に蓄積する第１の再生情報蓄積手段と、
映像管理記憶手段で管理されている映像の中から選択されて再生された映像中に含まれる広告映像の再生を検出する広告映像再生検出手段と、
広告映像再生検出手段の広告映像再生時に対応する広告映像特徴量と関連付けて広告映像再生情報を再生履歴記憶手段に蓄積する第２の再生情報蓄積手段と、
再生履歴記憶手段に蓄積された再生映像情報から映像識別情報毎に映像の累積再生回数を集計し、該再生履歴記憶手段に蓄積された広告映像再生情報から映像識別情報毎の広告映像の累積再生回数を集計し、該映像の累積再生回数と該広告映像の累積再生回数に基づいて、１映像再生当たりの広告映像再生回数を計算する再生情報分析手段と、
映像再生時に、再生中の映像に含まれる広告映像の１映像再生当たりの広告映像再生回数を表示手段に表示する広告映像再生情報提示手段と、を有する。
【００１９】
請求項６に係る発明によれば、各映像再生においての広告映像再生率の差異が把握できるため、番組映像の再生と比較して正確な広告映像再生状況の把握が可能となる。
【００２０】
本発明（請求項７）は、広告映像と番組映像とが一体となっている映像に対する広告映像再生を行う広告映像再生装置であって、
広告映像と番組映像とが一体となっている映像から広告映像部分を検出し、映像管理記憶手段に格納する広告映像検出手段と、
広告映像検出手段で検出された広告映像部分から広告映像特徴量を抽出し、映像管理記憶手段に格納する広告映像特徴量抽出手段と、
映像と関連付けて保持されている情報から映像識別情報を取得して映像管理記憶手段に格納する映像識別情報取得手段と、
映像再生開始時に、再生映像を検出する再生映像検出手段と、
再生映像の映像識別情報を含む再生映像情報を再生履歴記憶手段に蓄積する第１の再生情報蓄積手段と、
映像管理記憶手段で管理されている映像の中から選択されて再生された映像中に含まれる広告映像の再生を検出する広告映像再生検出手段と、
再生中の広告映像に対して、再生中の広告映像に関する評価分類を選択することで得られる評価情報、または、コメントを取得する広告映像評価コメント情報付与手段と、
評価情報を広告特徴量と関連付けて評価記憶手段に蓄積する、または、コメントを該広告特徴量と関連付けてコメント記憶手段に蓄積する広告映像評価コメント情報蓄積手段と、
評価記憶手段またはコメント記憶手段に格納されている評価情報またはコメントから広告映像特徴量毎に広告映像に対する評価分類と累積評価数の組である評価結果情報、または、累積コメント数を集計する広告映像評価コメント情報分析手段と、
映像再生時に再生中の映像に含まれる広告映像に対する評価結果情報、または、累積コメント数を表示手段に表示する広告映像分析結果提示手段と、を有する。
【００２１】
請求項７に係る発明によれば、広告映像に関しての視聴者の評価、意見数がわかり、広告映像自体の魅力が把握でき、広告映像の再生を促すための情報となり、広告映像を再生する機会の向上に寄与することが可能となる。
【００２２】
本発明（請求項８）は、広告映像と番組映像とが一体となっている映像に対する広告映像再生を行う広告映像再生装置であって、
広告映像と番組映像とが一体となっている映像から広告映像部分を検出し、映像管理記憶手段に格納する広告映像検出手段と、
広告映像検出手段で検出された広告映像部分から広告映像特徴量を抽出し、映像管理記憶手段に格納する広告映像特徴量抽出手段と、
映像と関連付けて保持されている情報から映像識別情報を取得して映像管理記憶手段に格納する映像識別情報取得手段と、
映像再生開始時に、再生映像を検出する再生映像検出手段と、
再生映像の映像識別情報を含む再生映像情報を再生履歴記憶手段に蓄積する再生情報蓄積手段と、
映像管理記憶手段で管理されている映像の中から選択されて再生された映像中に含まれる広告映像の再生を検出する広告映像再生検出手段と、
再生中の広告映像に関するコメントを取得する広告映像評価コメント情報付与手段と、
コメントを該広告特徴量と関連付けてコメント記憶手段に蓄積する広告映像評価コメント情報蓄積手段と、
映像再生時に、再生中の広告映像の広告映像特徴量から該当する全ての広告映像に対するコメントを表示手段に表示する広告映像コメント提示手段と、を有する。
【００２３】
請求項８に係る発明によれば、複数の映像に含まれる同一の広告映像に関するコメントを統合し、各映像再生時に統合した広告映像に関するコメントを提示することができるため、広告映像に対するコメント意見が視聴者に閲覧されやすくなり、広告映像の閲覧の増加に寄与することが可能となる。
【００２４】
本発明（請求項９）は、請求項５乃至８のいずれか１項に記載の広告映像再生を構成する各手段としてコンピュータを機能させる広告映像再生プログラムである。
【００２５】
これらの発明により、タイムシフト視聴において広告映像再生する機会の増加、広告映像再生状況の正確な把握に寄与することが可能となり、より効率的にタイムシフト視聴における広告映像再生を行うことができる。
【発明の効果】
【００２６】
上記のように本発明によれば、広告映像と番組映像が一体となっている映像に対して、番組映像を見ている状況で、広告映像に対する他者の評価が閲覧できるため、ユーザが広告映像に対しての一般的なコンテンツの魅力や興味を知ることができ、さらに、広告映像再生中にも他者の評価詳細や広告映像内容や広告映像対象に関するコメントを閲覧することができ、より深く閲覧できる環境があるため、広告映像を再生する意図をユーザが持つことが可能となる。
【００２７】
また、広告映像を発信する側において、広告映像の視聴状況や興味度合を正確に把握することができるため、広告映像の効果を計ることができる。
【発明を実施するための最良の形態】
【００２８】
以下、図面と共に本発明の実施の形態を説明する。
【００２９】
図３は、本発明の一実施の形態における動作の概要を説明するための図である。
【００３０】
本発明の動作は、準備フェーズと再生フェーズからなる。
【００３１】
＜準備フェーズ＞
まず、準備フェーズにて、番組映像と広告映像が一体となった蓄積された映像とその映像の放送地域、放送日時、チャンネルといった放送情報（ＥＰＧ）または、番組映像と広告映像が一体で配信される映像の配信開始日時、配信元ＵＲＩ、番組ＩＤといった配信情報等の映像を一意に特定する情報である映像識別情報及び映像を入力として、映像ファイル、ファイルの場所（ＵＲＬ）と映像識別情報を関連付けて映像管理情報として保持する映像識別情報手順（ステップ１００）を最初の手順とする。
【００３２】
次に、映像ファイルを読み込み、映像ファイル中の広告映像部分を検出して、各広告映像の映像内での開始オフセット、終了オフセットを映像管理情報として保持する広告映像検出手順（ステップ２００）を行う。
【００３３】
次に、ステップ２で検出した各広告映像に対して、指定フレームの色ヒストグラムなどの広告映像を特定するための広告映像特徴量を映像管理情報として保持する広告映像特徴量抽出手順（ステップ３００）を行う。
【００３４】
これで、映像自体、広告映像の再生位置、広告映像を特定するための特徴量を映像管理情報として保持できる。
【００３５】
＜再生フェーズ＞
次に、再生フェーズとして、ユーザが再生する映像を選んで再生を開始すると、該当する映像の映像識別情報を準備フェーズで保持した映像管理情報から取得する再生映像検出手順を行う（ステップ４００）。検出されると同時に、再生映像の映像識別情報と再生ユーザ、再生日時等の情報をサーバにて蓄積する再生情報蓄積手順を行う（ステップ７００）。再生映像と対応する映像管理情報から広告開始オフセット値を取得し、その広告開始位置が再生されるかを監視し、その再生位置まで再生が進むことで、広告映像再生を検出する広告再生検出手順を行う（ステップ５００）。また、広告映像の再生が検出されると同時に、再生広告映像の広告映像特徴量と再生ユーザ、再生日時等の情報をサーバにて蓄積する再生情報蓄積手順を行う（ステップ７００）。
【００３６】
蓄積されている再生履歴情報を対象に、広告映像の累積再生回数、再生映像における広告映像の再生割合であり、１映像再生当たりの広告映像再生回数等を計算する映像再生分析手順を行う（ステップ８００）。対象の映像が再生されると、前述の計算結果である広告再生映像情報を提示する広告映像再生情報提示手順が行われる（ステップ９００）。
【００３７】
また、上記の広告映像評価コメント情報付与手順（ステップ６００）の後に、ユーザは広告映像再生中に、広告映像の内容自体や広告の対象に関して評価分類（「良い」から「悪い」等の５段階にするなど）や、広告映像部分についてのコメントを付与する広告映像評価コメント付与手順を行う（ステップ６００）。ユーザによって付与された結果を蓄積する広告映像評価コメント情報蓄積手順を行う（ステップ１０００）。広告映像評価コメント情報蓄積手順（ステップ１０００）により蓄積された結果のデータから広告映像評価分類の評価分類毎の累計数やそれらを平均して評価分類を数値化する等の集計した評価結果を広告映像毎に保持し、また広告映像に付与された累計のコメント数を集計し、計算したコメント数を保持する広告映像評価コメント分析手順を行う（ステップ１１００）。さらに、分析結果をユーザが映像再生時にその該当映像に含まれる広告映像のステップ１１００にて保持した評価結果やコメント数を提示する広告映像分析結果提示手順を行う（ステップ１２００）。
【００３８】
さらに、広告映像再生時に、広告映像評価コメント情報蓄積手順（ステップ１０００）にて蓄積した広告映像に対するコメントデータを取得し、広告映像再生中はコメントを表示する広告映像コメント提示手順を行う（ステップ１３００）。
【００３９】
図４は、本発明の一実施の形態におけるシステム構成を示す。
【００４０】
同図に示すシステムは、クライアント装置１００とサーバ２００から構成される。以下では、クライアント装置１００とサーバ２００からなる構成としているが、１つの装置として構成してもよい。
【００４１】
クライアント装置１００は、映像識別情報取得部１１０、広告映像検出部１２０、映像管理ＤＢ１３０、広告映像特徴量抽出部１４０、再生映像検出部１５０、広告映像再生検出部１６０、広告映像評価コメント情報付与部１７０から構成される。なお、クライアント装置１００には、キーボードやマウス等の入力手段と、ディスプレイ等の表示手段が設けられているものとする。
【００４２】
サーバ２００は、再生情報蓄積部２１０、再生履歴ＤＢ２２０、再生情報分析部２３０、広告映像再生情報提示部２４０、広告映像評価コメント情報蓄積部２５０、評価ＤＢ２６０、コメントＤＢ２７０、広告映像評価コメント情報分析部２８０、広告映像分析結果提示部２９０、広告映像コメント提示部２９５から構成される。
【００４３】
図５は、本発明の一実施の形態における映像管理ＤＢの構成を示す。クライアント装置１００の映像管理ＤＢ１３０は、ハードディスク装置等の記録媒体であり、広告ＩＤ、映像ＩＤ、広告映像特徴量、開始オフセット、終了オフセットの項目からなる広告テーブル１３１と、映像ＩＤ、映像場所、映像識別子、メモの項目からなる映像テーブル１３２が格納される。
【００４４】
図６は、本発明の一実施の形態における再生履歴ＤＢの構成を示す。サーバ２００の再生履歴ＤＢ２２０は、ハードディスク装置等の記録媒体であり、履歴ＩＤ，広告映像特徴量と映像識別情報からなる識別情報、再生日時、再生ユーザ、映像種別の各項目が格納される。
【００４５】
以下、前述の図３と図４を用いて処理の流れを説明する。
【００４６】
なお、以下では、放送映像を録画してクライアント装置１００に映像と対応する電子番組ガイド（Electronic Program Guide:以下、ＥＰＧと記す）を録画・蓄積している状況を前提とする環境において、クライアント装置１００にある映像番組と広告映像が一体となっている映像を対象とする。
【００４７】
ステップ１００）  まず、クライアント装置１００の映像識別情報取得部１１０が、映像識別情報を取得し、その情報を映像管理ＤＢ１３０に登録する。当該処理の具体的な動作を図７に示す。具体的には、まず、読み込む映像が存在するかを判定し（ステップ１０１）、もしなければ終了し、あれば次に、クライアント装置１００にある映像を読み込む（ステップ１０２）。次に読み込んだ映像と対応するＥＰＧを読み込む（ステップ１０３）。次に、読み込んだ情報から映像ファイル名、映像ファイル場所、映像識別情報を映像管理ＤＢ１３０に登録し（ステップ１０４）、ステップ１０１に戻る。
【００４８】
ステップ２００）  クライアント装置１００の広告映像検出部１２０が、映像中の広告映像位置を検出し、広告映像毎の開始オフセットと終了オフセットを映像管理ＤＢ１３０登録する。なお、広告映像検出に関する技術は、特許第３４０７８４０号公報「映像要約方法」を用いて実現することができる。当該技術について具体的には、映像フレームの画像内容が大きく変化するカット点の時刻系列Ｃｔ（ｔ＝１，２，…）を求め、次に無音区間系列Ｓｉ（ｉ＝１，２，…）を求め、無音区間Ｓｉにカット点時刻Ｃｔが含まれ、かつ、カット点Ｃｔ'とカットＣｔとの間隔が１５秒または３０秒（ｔ'＞ｔ）、かつ無音区間Ｓｉ'（ｉ'＞ｉ）にカット点Ｃｔ'が含まれ、かつ、ｔ'−ｔ＝３ならばカット点Ｃｔ、Ｃｔ'を広告部分の候補とし、６０秒以上連続して継続する広告部分の候補が継続する場合、広告映像とする。このような処理により広告映像を検出できる。この検出したＣｔが開始オフセット、Ｃｔ'を終了オフセットとして、映像識別情報、広告映像開始オフセット、広告映像終了オフセットを図５に示すように映像管理ＤＢ１３０に登録する。
【００４９】
ステップ３００）  広告映像特徴量抽出処理部１４０が、映像管理ＤＢ１３０から該当映像の広告映像開始オフセット、広告映像終了オフセットの組を全て読み込んで、図８に示すように、開始オフセットからのずらし時間分（０秒以上１５秒未満）ずらした位置の例えば、画像特徴量（色ヒストグラム情報等）等を広告映像特徴量として抽出し、上記のステップ２００の手順での登録データである映像識別情報、広告映像開始オフセット、広告映像オフセットの項目に広告映像特徴量を映像管理ＤＢ１３０に追加登録する。
【００５０】
ここまでが蓄積映像における事前の準備フェーズの処理となる。広告映像特徴量として、色特徴量Ｓ＝｛（Ｍｉ，Ｗｉ）｝ｉ＝１…ｊ（ｊ次元の色特徴次元の場合）、Ｗｉはその特徴次元のピクセル数の全体のピクセル数における割合とし、ｉ次元の色特徴量Ｓｉ＝（Ｍｉ，Ｗｉ）で表すことを例として挙げる。その結果は図５の広告映像特徴量のように具体的には登録されることになる。
【００５１】
＜再生フェーズ＞
次に再生フェーズについて説明する。
【００５２】
ステップ４００）  クライアント装置１００において、再生映像を映像管理ＤＢ１３０中で管理されているものから選択して再生した際に、再生映像検出部１５０が、再生映像の映像識別情報を映像管理ＤＢ１３０から取得して、再生映像を特定できる映像識別情報、再生日時と再生ユーザ（事前にユーザ指定した場合）をサーバ２００に送付する。
【００５３】
ステップ７００）  サーバ２００側でデータを受信すると、再生情報蓄積処理部２１０が、映像再生に関する情報を再生履歴ＤＢ２２０に受信した識別情報（映像識別情報）、再生日時、再生ユーザ、映像種別（番組映像）を登録する。登録の結果として、図６のように登録される。
【００５４】
ステップ５００）  クライアント装置１００の広告映像再生検出部１６０が、広告映像再生を検出した時点で、映像管理ＤＢ１３０より再生広告映像に対応した広告映像特徴量を取得し、広告映像特徴量、再生日時、再生ユーザ（事前にユーザ指定した場合）をサーバ２００へ送付する。
【００５５】
ステップ７００）  サーバ２００側でデータを受信すると、サーバ２００の再生情報蓄積処理部２１０が、広告映像再生に関する情報を再生履歴ＤＢ２２０に受信した識別情報（広告映像特徴量）、再生日時、再生ユーザ、映像種別（広告映像）を登録する。
【００５６】
ステップ８００）  一方、このように登録された映像履歴ＤＢ２２０を対象として、再生情報分析部２３０が、再生履歴ＤＢ２２０中の映像種別が広告映像であるデータを対象に広告映像特徴量毎にレコードをカウントすることにより、｛広告映像特徴量ｉ，再生回数Ｐｉ｝の組（ｉ＝１，２，…広告映像特徴量データユニーク数）が取得できる。これで広告映像が複数の番組映像に挿入されていても広告映像特徴量ｉが同じ広告映像（つまり、同じ広告映像）毎に、累積再生回数を取得できる。また、１映像当たりの広告映像再生回数を算出するケースでは、図９に示す処理を行う。
【００５７】
ステップ８０１）  再生履歴ＤＢ２２０中の全データを対象に広告映像特徴量かつ映像識別情報毎にレコード数をカウントすることにより、｛映像識別情報ｉ，広告映像特徴量ｊ，再生回数Ｐｉｊ｝（ｉ＝１，２，…：広告映像特徴量ユニークデータ数、ｊ＝１，２，…：映像識別情報ユニーク数）を得ることができる。
【００５８】
ステップ８０２）  再生履歴ＤＢ２２０中の映像種別が番組映像であるデータを対象に映像識別情報毎にレコード数をカウントすることにより、｛映像識別情報ｊ，映像再生回数Ｑｉ｝（ｊ＝１，２，…：映像識別情報ユニーク数）を得る事ができる。
【００５９】
ステップ８０３）  ステップ８０１，８０２のｊの値が一致するものについてＰｉｊ／Ｑｊを計算することで、｛映像識別情報ｉ，映像識別情報ｊ、Ｐｉｊ／Ｑｊ｝を得ることができ、映像識別情報かつ広告映像特徴量毎に１映像再生当たりの広告映像再生回数を取得することができる。
【００６０】
これで同一番組映像において挿入されている各広告映像の再生状況の違いを対象番組再生ユーザは認識することができるため、広告映像自体のユーザ全体の閲覧頻度の違いを把握することができる。
【００６１】
ステップ９００）  次に、サーバ２００の広告映像再生情報提示部２４０が、再生情報分析部２３０で得られた結果を対象映像再生時に該当する広告情報の再生状況を同時に表示することや、各広告の１映像再生回数（再生率）を比較表示することができる。その例を図１０に示す。
【００６２】
ステップ６００）  クライアント装置１００の広告映像評価コメント情報付与部１７０が、広告映像再生中の広告映像に対する評価値やコメントを付与する。ここで付与される評価やコメントを使って、以降は映像再生中に対象映像の評価値やコメント値を分析し、映像再生中のクライアント装置１００に提示する一連の処理について以下に述べる。
【００６３】
図１１は、本発明の一実施の形態における広告映像評価コメント情報付与処理、広告映像再生検出・広告映像コメント・分析結果提示処理のフローチャートである。
【００６４】
ステップ６０１）  クライアント装置１００でユーザが映像や一時停止などの再生制御を行う。
【００６５】
ステップ６０２）  再生制御された広告映像の中で、評価値・コメントを入力したい時間位置を指定する。
【００６６】
ステップ６０３）  評価値・コメントを入力する。
【００６７】
ステップ１０００）  広告映像評価コメント情報蓄積部２５０は、上記のステップ６０３によりユーザが入力した評価値・コメントと、指定された時間位置を蓄積する。このとき、評価値は評価ＤＢ２６０に、コメントはコメントＤＢ２７０に蓄積する。
【００６８】
ステップ１１１０）  広告映像評価コメント情報分析部２８０は、再生制御されている映像の時間を取得する。
【００６９】
ステップ１１２０）  クライアント装置１００の広告映像再生検出部１６０は、評価ＤＢ２６０、コメントＤＢ２７０に蓄積された評価値・コメントの中から、広告映像分析結果提示部２９０及び広告映像コメント提示部２９５を介して、再生時間の広告区間開始検出、及び取得した時間を含む対応広告映像区間の評価値・コメントを取得する。
【００７０】
ステップ１２００）  広告映像コメント提示部２９５は、クライアント装置１００に対して、表示したい評価値・コメントの表示制御を行う。
【００７１】
上記のステップ１０００により評価ＤＢ２６０に蓄積されるデータの例を図１２に、コメントＤＢ２７０に蓄積されるデータの例を図１３に示す。評価ＤＢ２６０は、ハードディスク装置等の記録媒体であり、広告ＩＤ，広告映像特徴量、評価（広告映像内容評価、広告映像対象評価）、評価日時、評価ユーザ、映像識別情報の各項目からなるデータが蓄積される。また、コメントＤＢ２７０に蓄積されるデータは、ハードディスク装置等の記録媒体であり、広告ＩＤ，広告映像特徴量、コメント（広告映像内容コメント、広告映像対象コメント）、コメント日時、コメントユーザ、映像識別情報からなるデータが蓄積される。
【００７２】
上記のステップ１１２０の広告区間開始検出について、図１４を用いて説明する。
【００７３】
図１４は、本発明の一実施の形態における広告映像再生検出のフローチャートである。
【００７４】
ステップ１１２１）  再生開始時に、再生映像検出部１５０において、映像管理ＤＢ１３０の再生映像中の全広告映像の広告映像特徴量と開始及び終了オフセット値の組を読み込む。
【００７５】
ステップ１１２２）  再生映像検出部１５０は、再生制御中の映像時間を読み込み、広告の開始オフセットでないか監視し、開始オフセット値と一致した場合、対象の広告映像のコメント及び評価を広告映像分析結果提示部２９０及び広告映像コメント提示部２９５から取得する。
【００７６】
ステップ１１２３）  再生映像検出部１５０は、映像管理ＤＢ１３０から再生制御中の映像時間を読み込み、広告の終了オフセットでないか監視し、終了オフセットと一致した場合、対象の広告映像のコメント及び評価を開放し、提示をクリアする。
【００７７】
ステップ１１２２，１１２３の処理を映像再生終了まで繰り返す。
【００７８】
上記のステップ１１２０で表示する評価値は図１０のｃ、コメントのイメージは図１０のｄに示すようになる。ここでクライアント装置１００に表示する評価値、コメント数は、評価ＤＢ２６０、コメントＤＢ２７０に蓄積されたものから広告映像評価コメント情報分析部２８０により作成される。この処理を以下に示す。
【００７９】
図１５は、本発明の一実施の形態における広告映像評価コメント情報分析処理のフローチャートである。
【００８０】
ステップ１１０１Ａ）累積評価値の計算においては、広告映像評価コメント情報分析部２８０は、評価ＤＢ２６０から広告映像特徴量毎に全レコードを読み込み、全評価分類の累積評価値を全て"０"とする。
【００８１】
ステップ１１０２Ａ）未読み込みの広告映像特徴量に関するレコードの広告映像内容評価フィールド及び広告映像対象評価フィールドを１つずつ読み込み、書かれている評価分類の累積評価値を１増加させる。
【００８２】
ステップ１１０３Ａ）未読み込みの広告映像特徴量がなくなった場合、広告映像特徴量毎に各評価分類値を保持する。
【００８３】
次に、累積コメント数の計算については、以下のようになる。
【００８４】
ステップ１１０１Ｂ）コメントＤＢ２７０から広告映像特徴量毎に全レコードを読み込み、累積コメント数を"０"する。
【００８５】
ステップ１１０２Ｂ）未読み込みの広告映像特徴量に関するレコードの広告映像内容のコメントを１つずつ読み込み、累積コメント数を１増加させる。
【００８６】
ステップ１１０３Ｂ）未読み込みの広告映像特徴量がなくなった場合、広告映像特徴量毎に累積コメント数を保持する。この保持した結果値について更に平均値をとることで、図１０ａに示すように、広告映像の評価値を番組映像再生中に表示することも可能である。
【００８７】
なお、上記の実施の形態では、クライアント装置１００とサーバ２００に分けて説明しているが、１つの広告映像再生装置として構築することも可能である。
【００８８】
また、上記の実施の形態における図３の構成要素の動作をプログラムとして構築し、広告映像再生装置として利用されるコンピュータにインストールして実行させる、または、ネットワークを介して流通させることも可能である。
【００８９】
また、構築されたプログラムを、ハードディスクや、フレキシブルディスク・ＣＤ−ＲＯＭ等の可搬記憶媒体に格納し、コンピュータにインストールする、または、配布することが可能である。
【００９０】
なお、本発明は、上記の実施の形態に限定されることなく、特許請求の範囲内において種々変更・応用が可能である。
【産業上の利用可能性】
【００９１】
本発明は、広告映像の視聴を管理する技術に適用可能である。
【図面の簡単な説明】
【００９２】
【図１】本発明の原理を説明するための図である。
【図２】本発明の原理構成図である。
【図３】本発明の一実施の形態における動作の概要を説明するための図である。
【図４】本発明の一実施の形態におけるシステム構成図である。
【図５】本発明の一実施の形態における映像管理ＤＢの例である。
【図６】本発明の一実施の形態における再生履歴ＤＢの例である。
【図７】本発明の一実施の形態における映像識別情報取得手順のフローチャートである。
【図８】本発明の一実施の形態における広告映像特徴量抽出手順を説明するための図である。
【図９】本発明の一実施の形態における再生情報分析手順のフローチャート（１映像再生当たりの広告映像再生回数）である。
【図１０】本発明の一実施の形態における再生中提示例である。
【図１１】本発明の一実施の形態における広告映像評価コメント情報付与処理・広告映像再生検出・広告映像コメント・分析結果提示処理のフローチャートである。
【図１２】本発明の一実施の形態における評価ＤＢの例である。
【図１３】本発明の一実施の形態におけるコメントＤＢの例である。
【図１４】本発明の一実施の形態における広告映像再生検出のフローチャートである。
【図１５】本発明の一実施の形態における広告映像評価コメント情報分析処理のフローチャートである。
【符号の説明】
【００９３】
１００  クライアント装置
１１０  映像識別情報取得部
１２０  広告映像検出手段、広告映像検出部
１３０  映像管理記憶手段、映像管理ＤＢ（データベース）
１４０  広告映像特徴量抽出手段、広告映像特徴量抽出部
１５０  再生映像検出部
１６０  広告映像再生検出手段、広告映像再生検出部
１７０  広告映像評価コメント情報付与部
２００  サーバ
２１０  再生情報蓄積手段、再生情報蓄積部
２２０  再生履歴記憶手段、再生履歴ＤＢ（データベース）
２３０  再生情報分析手段、再生情報分析部
２４０  広告映像再生情報提示手段、広告映像情報提示部
２５０  広告映像評価コメント情報蓄積部
２６０  評価ＤＢ（データベース）
２７０  コメントＤＢ（データベース）
２８０  広告映像評価コメント情報分析部
２９０  広告映像分析結果提示部
２９５  広告映像コメント提示部
【図１】
2009130529.tif 000003
【図２】
2009130529.tif 000004
【図３】
2009130529.tif 000005
【図４】
2009130529.tif 000006
【図５】
2009130529.tif 000007
【図６】
2009130529.tif 000008
【図７】
2009130529.tif 000009
【図８】
2009130529.tif 000010
【図９】
2009130529.tif 000011
【図１０】
2009130529.tif 000012
【図１１】
2009130529.tif 000013
【図１２】
2009130529.tif 000014
【図１３】
2009130529.tif 000015
【図１４】
2009130529.tif 000016
【図１５】
2009130529.tif 000017